(57)【要約】【課題】  キー操作回数を低減する構成の従来の携帯端末は、複数のキーの組み合わせからなる構成であるため、操作が複雑で覚えにくく、部品コストや製造コストが上昇するなどの問題がある。また、キーの追加により小型化が難しい。【解決手段】  操作キー６は押下されたときに、筐体２内部の記憶部に保持された電話帳から電話番号及び／又は名前のリストとカーソルを表示部３に表示する。このとき表示されるカーソル位置のある電話番号及び／又は名前は、予め設定された複数の検出方向のうち、操作キー６を押下した指の方向を、フォトセンサ群７で検出して得た方向に対応して記憶されている電話番号及び／又は名前である。従って、複数の検出方向に対応して、よく発呼する複数の相手の電話番号を登録しておくことにより、操作キー６を連続して２回押下するだけで、操作キー６の押下方向により登録した相手を選択して発呼できる。【選択図】            図１
2006011660.tif 000002
【特許請求の範囲】
【請求項１】
特定のキーを使用者が指で押下したとき、その特定のキーに予め割り当てられた情報を表示部に表示する携帯端末であって、
前記特定のキーを押下した時の前記指の方向を、予め設定した複数の方向のうちのどの方向かを検出する方向検出手段と、
前記複数の方向の各々に対応して予め複数の情報を記憶しておく記憶手段と、
前記記憶手段に記憶された前記複数の情報の中から、前記方向検出手段により検出された方向に応じた一の情報を選択して前記表示部に表示する選択表示手段と
を有することを特徴とする携帯端末。
【請求項２】
前記方向検出手段は、前記特定のキーを中心とする円周上に配置されたｎ個（ｎは２以上の整数）のフォトセンサと、前記ｎ個のフォトセンサを各々ｍ個（ｍはｎより小なる２以上の整数）のフォトセンサからなる検出範囲にｋ分割（ただし、ｎ≦ｋ×ｍ）したとき、各分割範囲におけるｍ個のフォトセンサがオン又はオフである個数を各分割範囲毎に比較して最も大又は小なる個数が得られた分割範囲を前記指の方向として検出する算出手段とからなることを特徴とする請求項１記載の携帯端末。
【請求項３】
前記方向検出手段は、前記特定のキーの押下を検出する接触感知センサと、前記接触感知センサにより前記特定のキーへの指の接触を感知した際の指紋を入力する指紋入力手段と、前記指紋入力手段により入力された指紋のパターンと予め登録されている複数の検出角度に対応した複数の指紋のパターンとの距離計算を行い、登録されている前記複数の指紋のパターンの中から前記入力された指紋のパターンに最も近似したパターンに対応した検出角度を前記指の方向として検出する計算手段とからなることを特徴とする請求項１記載の携帯端末。
【請求項４】
前記特定のキーを２回連続して押下した時、前記特定のキーの最初の押下により前記表示部に表示されている情報の決定動作を行うことを特徴とする請求項１記載の携帯端末。
【請求項５】
前記複数の情報は、最初にカーソルで選択される電話帳データ、又は複数のグループ毎の電話帳データ、又は複数の機能選択メニューであることを特徴とする請求項１乃至４のうちいずれか一項記載の携帯端末。
【請求項６】
特定のキーを使用者が指で押下したとき、その特定のキーに予め割り当てられた情報を表示部に表示するための入力を行う携帯端末の情報入力方法であって、
前記特定のキーを押下した時の前記指の方向を、予め設定した複数の方向のうちのどの方向かを検出する第１のステップと、
前記複数の方向の各々に対応して予め記憶されている複数の情報の中から、前記第１のステップにより検出された方向に応じた一の情報を選択して前記表示部に表示する第２のステップと
を含むことを特徴とする情報入力方法。
【請求項７】
前記第１のステップは、前記特定のキーを中心とする円周上に配置されたｎ個（ｎは２以上の整数）のフォトセンサを各々ｍ個（ｍはｎより小なる２以上の整数）のフォトセンサからなる検出範囲にｋ分割（ただし、ｎ≦ｋ×ｍ）したとき、各分割範囲におけるｍ個のフォトセンサがオン又はオフである個数を各分割範囲毎に比較して最も大又は小なる個数が得られた分割範囲を前記指の方向として検出することを特徴とする請求項６記載の情報入力方法。
【請求項８】
前記第１のステップは、前記特定のキーの押下時の指紋を入力する第３のステップと、予め登録されている複数の検出角度に対応した複数の指紋のパターンと前記第３のステップにより入力した指紋のパターンとの距離計算を行い、登録されている前記複数の指紋のパターンの中から前記入力された指紋のパターンに最も近似したパターンに対応した検出角度を前記指の方向として検出する第４のステップとからなることを特徴とする請求項６記載の情報入力方法。
【請求項９】
前記特定のキーを２回連続して押下した時、前記特定のキーの最初の押下により前記表示部に表示されている情報の決定動作を行う第５のステップを更に含むことを特徴とする請求項６記載の情報入力方法。
【請求項１０】
前記複数の情報は、最初にカーソルで選択される電話帳データ、又は複数のグループ毎の電話帳データ、又は複数の機能選択メニューであることを特徴とする請求項６乃至９のうちいずれか一項記載の情報入力方法。
【発明の詳細な説明】
【技術分野】
【０００１】
本発明は携帯端末及び情報入力方法に係り、特に入力部を構成する各種のキーを操作して、文字、記号、数値等の所望の情報が入力されて動作する、携帯電話機等の携帯端末及びその携帯端末の情報入力方法に関する。
【背景技術】
【０００２】
携帯端末は可搬性のために、小型・軽量化が要求され、その結果、端末の表面上の情報入力のためのキーの設置面積が益々狭くなると共に、キーの設置数に制限がある。このため、携帯端末の使用者が、端末本体内に記憶された電話帳からあて先を選択して呼を発する場合などでは、多数回にわたり複数のキーを押下しなければならず、操作が煩雑になる場合がある。
【０００３】
そこで、キー入力回数を減少して操作性を向上するため、十字移動キーとボール部とからなるファンクションキーを設けた携帯端末が従来より知られている（例えば、特許文献１参照）。この従来の携帯端末は、項目選択画面を表示させた状態で十字移動キーを押下すると、その押下移動方向に応じて選択候補項目を変更し、ボール部を押下することでその選択候補項目を選択項目として確定する構成である。また、ボール部を回転することで、画像の貼り付け位置の座標位置を指定、変更することもできる。ここで、上記の十字移動キーとボール部は、同一箇所に設置されているので、使用者が操作するときの指の移動距離が最小で済み、操作性を向上しようとするものである。
【０００４】
また、指紋センサ機能を有し、押下された位置に応じて異なる指示を入力するキーを含む携帯端末も従来より知られている（例えば、特許文献２参照）。この従来の携帯端末は、セキュリティ確保のために指紋センサを搭載している携帯端末が、その小型化により搭載しているキーの面積が小さくなっても、指紋は精度良く認証できるようにするため、指紋センサを、複数の指示を入力できるキーと兼用することにより、複数のキーと同じ大きさの面積で指紋センサを構成できるようにしたものである。
【０００５】
【特許文献１】特開２００２−２２９７３２号公報（請求項１、２、図１〜図３、段落００１５、００３０〜００３３、００３８〜００５９）
【特許文献２】特開２００２−３３５３２４号公報（請求項１、２、図１〜図５、段落００１２〜００３４）
【発明の開示】
【発明が解決しようとする課題】
【０００６】
しかるに、上記の特許文献１記載の従来の携帯端末は、十字移動キーとボール部との組み合わせからなるキーであるため、操作が複雑で覚えにくいという問題があり、また、部品コストや製造コストが上昇するなどの問題がある。また、上記の特許文献２記載の従来の携帯端末は、単に指紋センサの大きさを確保するために、複数のキーと共用できるようにしたものであり、キー入力回数を減少できるものではなく、複数の相手先に良好な操作性を提供することがしにくいという問題がある。
【０００７】
更に、複数の専用キーを設けたり、複数用途のキーにて例えばワンタッチ発信機能を行うキーを付加した携帯端末も従来より知られているが、キーの追加により小型化が難しくなったり、部品コストや製造コストが上昇するなどの問題がある。
【０００８】
本発明は以上の点に鑑みなされたもので、安価な構成で、しかも簡単な操作で情報入力し得る携帯端末及び情報入力方法を提供することを目的とする。
【課題を解決するための手段】
【０００９】
上記の目的を達成するため、本発明の携帯端末は、特定のキーを使用者が指で押下したとき、その特定のキーに予め割り当てられた情報を表示部に表示する携帯端末であって、特定のキーを押下した時の指の方向を、予め設定した複数の方向のうちのどの方向かを検出する方向検出手段と、複数の方向の各々に対応して予め複数の情報を記憶しておく記憶手段と、記憶手段に記憶された複数の情報の中から、方向検出手段により検出された方向に応じた一の情報を選択して表示部に表示する選択表示手段とを有する構成としたものである。
【００１０】
この発明では、特定のキーを押下した指の方向が、予め設定した複数の方向のうちのどの方向かを検出すると共に、複数の方向の各々に対応して予め複数の情報を記憶しておき、複数の情報の中から上記の検出された方向に応じた一の情報を選択して表示部に表示するようにしたため、上記の複数の情報としてよく使用する情報を設定しておくことにより、よく使用する情報を特定のキーの指の押下方向で表示させることができる。
【００１１】
また、上記の目的を達成するため、本発明は、上記の方向検出手段として、特定のキーを中心とする円周上に配置されたｎ個（ｎは２以上の整数）のフォトセンサと、ｎ個のフォトセンサを各々ｍ個（ｍはｎより小なる２以上の整数）のフォトセンサからなる検出範囲にｋ分割（ただし、ｎ≦ｋ×ｍ）したとき、各分割範囲におけるｍ個のフォトセンサがオン又はオフである個数を各分割範囲毎に比較して最も大又は小なる個数が得られた分割範囲を指の方向として検出する算出手段とからなることを特徴とする。
【００１２】
また、上記の目的を達成するため、本発明は、上記の方向検出手段として、特定のキーの押下を検出する接触感知センサと、接触感知センサにより特定のキーへの指の接触を感知した際の指紋を入力する指紋入力手段と、指紋入力手段により入力された指紋のパターンと予め登録されている複数の検出角度に対応した複数の指紋のパターンとの距離計算を行い、登録されている複数の指紋のパターンの中から入力された指紋のパターンに最も近似したパターンに対応した検出角度を指の方向として検出する計算手段とからなることを特徴とする。この発明では、指紋入力手段が元々セキュリティ確保のために、使用者を特定するために用いられている携帯端末では、その指紋入力手段を利用して指の方向検出ができる。
【００１３】
また、上記の目的を達成するため、本発明は、特定のキーを２回連続して押下した時、特定のキーの最初の押下により表示部に表示されている情報の決定動作を行うことを特徴とする。従って、本発明では、２回の特定キーを操作するだけで、所望の情報の決定ができる。ここで、上記の複数の情報は、最初にカーソルで選択される電話帳データ、又は複数のグループ毎の電話帳データ、又は複数の機能選択メニューであることを特徴とする。例えば、最初にカーソルで選択される電話帳データを複数の情報として設定した場合は、特定キーを２回連続して押下するだけで、カーソル位置の電話番号に発呼することができる。
【００１４】
また、上記の目的を達成するため、本発明の情報入力方法は、特定のキーを使用者が指で押下したとき、その特定のキーに予め割り当てられた情報を表示部に表示するための入力を行う携帯端末の情報入力方法であって、特定のキーを押下した時の指の方向を、予め設定した複数の方向のうちのどの方向かを検出する第１のステップと、複数の方向の各々に対応して予め記憶されている複数の情報の中から、第１のステップにより検出された方向に応じた一の情報を選択して表示部に表示する第２のステップとを含むことを特徴とする。
【００１５】
この発明では、特定のキーを押下した指の方向が、予め設定した複数の方向のうちのどの方向かを検出すると共に、複数の方向の各々に対応して予め複数の情報を記憶しておき、複数の情報の中から上記の検出された方向に応じた一の情報を選択して表示部に表示するようにしたため、上記の複数の情報としてよく使用する情報を設定しておくことにより、よく使用する情報を特定のキーの指の押下方向で表示させることができる。
【００１６】
また、上記の目的を達成するため、本発明の情報入力方法は、上記の第１のステップが、特定のキーを中心とする円周上に配置されたｎ個（ｎは２以上の整数）のフォトセンサを各々ｍ個（ｍはｎより小なる２以上の整数）のフォトセンサからなる検出範囲にｋ分割（ただし、ｎ≦ｋ×ｍ）したとき、各分割範囲におけるｍ個のフォトセンサがオン又はオフである個数を各分割範囲毎に比較して最も大又は小なる個数が得られた分割範囲を指の方向として検出することを特徴とする。
【００１７】
また、上記の目的を達成するため、本発明の情報入力方法は、上記の第１のステップが、特定のキーの押下時の指紋を入力する第３のステップと、予め登録されている複数の検出角度に対応した複数の指紋のパターンと第３のステップにより入力した指紋のパターンとの距離計算を行い、登録されている複数の指紋のパターンの中から入力された指紋のパターンに最も近似したパターンに対応した検出角度を指の方向として検出する第４のステップとからなることを特徴とする。
【００１８】
また、上記の目的を達成するため、本発明の情報入力方法は、特定のキーを２回連続して押下した時、特定のキーの最初の押下により表示部に表示されている情報の決定動作を行う第５のステップを更に含むことを特徴とする。ここで、上記の複数の情報は、最初にカーソルで選択される電話帳データ、又は複数のグループ毎の電話帳データ、又は複数の機能選択メニューであることを特徴とする。
【発明の効果】
【００１９】
本発明によれば、特定のキーを押下した指の方向が、予め設定した複数の方向のうちのどの方向かを検出すると共に、上記の複数の方向の各々に対応して予め複数の情報を記憶しておき、複数の情報の中から上記の検出された方向に応じた一の情報を選択して表示部に表示することにより、上記の複数の情報としてよく使用する情報を設定しておくことにより、よく使用する情報を特定のキーの指の押下方向で表示させることができ、従来よりも必要なキー操作回数を減少させることができる。
【００２０】
また、本発明によれば、上記の複数の情報として、予め設定した頻繁に発呼する複数の相手の電話番号にそれぞれ設定した場合、発呼までのキー操作回数を低減できるために、使用者に簡単で快適な操作性を提供することができる。
【発明を実施するための最良の形態】
【００２１】
次に、本発明を実施するための最良の形態について、図面と共に説明する。図１は本発明になる携帯端末の一実施の形態の外観正面図を示す。同図において、携帯端末の一例としての携帯電話機１は、筐体２の上部側には各種の情報を表示する表示部３が配置され、筐体２の下部側には数字入力キー４が配置され、表示部３と数字入力キー４との間には、カーソル下移動キー５ａ、カーソル上移動キー５ｂ及び操作キー６が設けられている。操作キー６は筐体２のほぼ中央部に設けられており、更に操作キー６を中心とする円周上に、１６個のフォトセンサからなるフォトセンサ群７が配置されている。
【００２２】
また、筐体２の表示部３の上側にはスピーカ８が設けられ、数字入力キー４の下側にはマイク９が設けられている。また、筐体２の上端面にはアンテナ１０が突設されている。なお、数字入力キー４は、数字だけでなく、文字や記号も入力できるように予め割り当てられているのは従来と同様である。
【００２３】
更に、上記のフォトセンサ群７は、図２に示すように、筐体２のほぼ中央部に設けられた操作キー６を中心とする円周上に、等角度間隔で配置された１６個のフォトセンサ７−１〜７−１６からなる。これらのフォトセンサ７−１〜７−１６は、指を近付けない場合で、かつ、通常使用する明るさの環境では遮光なしを意味するオン状態となり、指を十分近付けた場合は、遮光物ありを意味するオフ状態となるよう調整されている。
【００２４】
操作キー６は押下されたときに、筐体２内部の記憶部に保持された電話帳から電話番号及び／又は名前のリストとカーソルを表示部３に表示する。ここで、本実施の形態は、この表示状態で携帯電話機１の使用者が、再度操作キー６を押下することで、カーソルで選択した発呼先電話番号に発呼することができることを特徴とする。また、カーソル下移動キー５ａ又はカーソル上移動キー５ｂを操作してカーソルを下方向又は上方向に移動してリスト中の任意の発呼先電話番号を選択することもできる。
【００２５】
図３は本発明になる携帯端末の一実施の形態のブロック図を示す。同図中、図１と同一構成部分には同一符号を付し、その説明を省略する。図３に示す携帯電話機１は、前述した表示部３、数字入力キー４、カーソル下移動キー５ａ、カーソル上移動キー５ｂ、操作キー６、フォトセンサ群７、スピーカ８、マイク９及びアンテナ１０に加えて、携帯電話機全体を統括的に制御する制御部１３と、アンテナ１０を介して最寄りの基地局（図示せず）との間で無線通信する無線部１４と、送信信号及び受信信号の信号処理を行う信号処理部１５と、受話音声信号や各種の音声信号を処理してスピーカ８に供給したり、マイク９からの送話音声信号を処理して信号処理部１５に供給する音声処理部１６と、制御部１３からの表示信号を表示に適した信号形態に変換して表示部３に供給して画像表示させる表示駆動部１７と、プログラムや電話帳データなどが記憶されている記憶部１８とを、図１の筐体２の内部に有する構成とされている。
【００２６】
この携帯電話機１は、発呼時は、後述するように、カーソル下移動キー５ａ、カーソル上移動キー５ｂ、操作キー６、フォトセンサ群７を用いて指定された発呼先の電話番号への発呼信号又は着信応答操作信号が制御部１３により生成され、これより信号処理部１５を介して無線部１４に供給され、ここで所定の信号形態の送信信号に変換された後、アンテナ１０を介して最寄りの基地局（図示せず）へ無線送信される。更に、送信信号は基地局から公衆網などを介して相手端末へ供給されて所定のシーケンスで通話路が確立される。
【００２７】
その後、相手端末からの通話信号は、公衆網及び基地局を介してアンテナ１０で受信され、更に無線部１４で受信処理された後、信号処理部１５で受話音声信号に変換され、更に音声処理部１６を介してスピーカ８に供給され、ここで電気−音響変換されて受話音声として発音される。一方、送話音声はマイク９により音響−電気変換されて送話音声信号となり、音声処理部１６及び信号処理部１５を経由して無線部１４に供給され、ここで所定周波数帯の送信信号とされた後、アンテナ１０を介して基地局へ無線送信され、更に基地局から公衆網などを介して相手端末へ送信される。以上の音声通信の動作は公知である。
【００２８】
次に、上記の音声通信を行う図１乃至図３の実施の形態の携帯電話機の情報入力動作について、図４のフローチャートを併せ参照して詳細に説明する。図３の制御部１３は操作キー６が押下されたことを検出すると（図４のステップＳ１）、そのときのフォトセンサ７−１〜７−１６のそれぞれについてオンかオフかの状態を検知して、押下方向を検出する（図４のステップＳ２）。
【００２９】
このステップＳ２での押下方向検出には、図２に示したフォトセンサ７−３からフォトセンサ７−７までの第１の範囲内の５つのフォトセンサと、フォトセンサ７−７からフォトセンサ７−１１までの第２の範囲内の５つのフォトセンサと、フォトセンサ７−１１からフォトセンサ７−１５までの第３の範囲内の５つのフォトセンサと、フォトセンサ７−１５からフォトセンサ７−３までの第４の範囲内の５つのフォトセンサとについて、各範囲毎にオフとなったフォトセンサ数の数を計数し、最も計数値が多い範囲を操作キー６を押下した使用者の指の方向（押下方向）として検出する。
【００３０】
すなわち、計数値が最も多い範囲が上記の第１の範囲であるときには右、上記の第２の範囲であるときは下、上記の第３の範囲であるときには左、上記の第４の範囲であるときは上の方向から指で操作キー６が押下されたものと検出する。
【００３１】
例えば、図５に示す場合は、操作キー６を押下するときの指１１により、上記の４つの範囲のうち、第１の範囲にあるフォトセンサ７−３からフォトセンサ７−７までの殆どが遮光されることから、この第１の範囲にある５つのフォトセンサがオフである数が、他の第２〜第４の範囲にある各５つのフォトセンサがオフである数よりも多いため、制御部１３は操作キー６が右側から押下されたものとして、押下方向を右として検出する。
【００３２】
ここで、制御部１３には、記憶部１８に記憶されている電話帳データのうち、操作キー６の検出押下方向が、右、下、左、上であるかに応じて、最初にカーソルが選択される電話帳のデータＲ、Ｄ、Ｌ、Ｕが登録されており、操作キー６の検出押下方向に応じて、登録されている最初にカーソルが選択される電話帳データを表示する（図４のステップＳ３）。従って、図５に示した場合は、制御部１３は操作キー６が右側から押下されたものとして検出するので、表示部３に表示された電話帳データＲがカーソルで選択された状態として表示し、使用者から次の操作を待つ状態に移ることができる。
【００３３】
続いて、制御部１３は操作キー６が押下されたかどうか判定し（図４のステップＳ４）、操作キー６が押下されないときは、替わりにカーソル下移動キー５ａ又はカーソル上移動キー５ｂが操作されたかどうか判定し（図４のステップＳ５）、操作されたときにはその操作に従って、表示部３に電話帳のリストと共に表示されているカーソル位置を最初の位置から移動する（図４のステップＳ６）。
【００３４】
上記のステップＳ６のカーソル位置の移動後は再び操作キー６が押下されたかどうか監視する（図４のステップＳ４）。また、カーソル下移動キー５ａ及びカーソル上移動キー５ｂが操作されないときも、操作キー６が押下されたかどうか監視する（図４のステップＳ４）。そして、制御部１３はステップＳ４で操作キー６が押下されたことを検出すると、その時点で表示部３に表示されているカーソル位置が示す電話番号又は名前の登録電話番号に発呼する（図４のステップＳ７）。
【００３５】
ステップＳ７では、制御部１３は、カーソル位置により指示された発呼先電話番号への発呼信号を生成して図３の信号処理部１５を経由して無線部１４に供給し、ここで所定の信号形態の送信信号に変換させた後、アンテナ１０を介して最寄りの基地局を介して公衆網などに供給して、これより相手端末との間での所定のシーケンスを行わせて通話路を確立する。
【００３６】
従って、本実施の形態によれば、頻繁に発呼する相手に電話をかけるような場合、最初にカーソルが選択される電話帳のデータＲ、Ｄ、Ｌ、Ｕとして、それぞれ頻繁に発呼する電話番号に予め設定しておくことにより、操作キー６を２回連続して押下することで直ちに発呼先電話番号へ発呼することができるため、従来に比べて必要なキー操作回数を減少させ、使用者に簡単で、かつ、快適な操作性を提供することができる。
【００３７】
また、操作キー６を１回押下した後、カーソル下移動キー５ａ又はカーソル上移動キー５ｂを操作することで、上記の予め最初にカーソルが選択された電話番号以外の電話番号にカーソルを合わせた後、操作キー６を押下することで、従来と同様に電話帳に登録されている電話番号の中から任意の電話番号に発呼することができる。
【００３８】
次に、本発明の他の実施の形態について説明する。図６は本発明になる携帯端末の他の実施の形態の外観正面図を示す。同図中、図１と同一構成部分には同一符号を付し、その説明を省略する。図６に示す実施の形態は、図１に示した実施の形態の操作キー６、操作キー６の周囲に配置されたフォトセンサ群７に替え、接触感知センサ２１、指紋入力手段２２を付加した点に特徴がある。指紋入力手段２２には、予め利用者の下方向から指で操作キーに触れられた場合の指の指紋情報が登録されている。接触感知センサ２１は操作キーを兼ねている。なお、指紋入力手段２２は、セキュリティ確保のため、使用者本人を特定するために本来用いられるものであり、本実施の形態では、この指紋入力手段２２を元々有する携帯端末の指紋入力手段２２をキー操作方向検出に利用するものである。
【００３９】
携帯端末内の制御部には、予め登録された指紋情報のパターンに対し、指紋入力手段２２で検出した入力指紋パターンが同じ（回転なし）か、右９０度回転しているか、左９０度回転しているか、１８０度回転しているかの、計４つの場合のそれぞれについて、最初にカーソルが選択される電話帳のデータＤ、Ｒ、Ｌ、Ｕを登録している。
【００４０】
これにより、本実施の形態によれば、指による操作キーの押下が接触感知センサ２１により感知されると、そのとき操作キーを押下している指の指紋が指紋入力手段２２により検出されて、上記の予め登録されている指紋情報との距離計算を行い、その計算結果に応じて、上記の４つのパターンのどれに相当するかを判定し、その判定した一つのパターンにおける登録された電話帳のデータＤ、Ｒ、Ｌ又はＵを表示部に表示させる。
【００４１】
従って、本実施の形態によれば、前記図１乃至図５と共に説明した実施の形態と同様の動作にて、例えば右側から指で操作キーに触れた場合、その指紋情報の期待パターンとの距離計算結果に応じて、表示部３に電話帳のデータの一覧を表示し、かつ、最初にカーソルを登録された電話帳データＲに合わせた状態で表示することができる。従って、本実施の形態も、接触感知センサ２１を２回連続して押下することで直ちに発呼先電話番号へ発呼することができるため、従来に比べて必要なキー操作回数を減少させ、使用者に簡単で、かつ、快適な操作性を提供することができる。
【００４２】
なお、本発明は以上の実施の形態に限定されるものではなく、例えば携帯端末では制御部１３のプログラミングを変更することにより、操作キーを押下する指の方向別に異なったグループ、すなわち会社、友人、家族などのリストを表示したり、異なった機能選択メニューを表示したりする応用も容易に実現可能なことはいうまでもない。また、表示するのは電話帳のデータに限定されるものではなく、電子メールでよく使用する定型文などでもよい。
【００４３】
また、図１及び図２に示した実施の形態では、１６個あるフォトセンサを検出範囲に４分割したが、各分割検出範囲は一部のフォトセンサの重複を許して５個ずつのフォトセンサとしたが、重複しないように４個ずつのフォトセンサで各分割検出範囲を構成してもよいし、６個ずつのフォトセンサで各分割検出範囲を構成してもよい。更に、最初のカーソルが位置するように予め登録されているデータは、分割検出範囲に応じて４つとしたが、これに限定されるものではない。また、本発明は携帯電話機以外の例えばＰＤＡ等の他の携帯端末にも適用できることはもちろんである。
【産業上の利用可能性】
【００４４】
本発明は携帯端末全般に操作性の改善を提供することが可能であり、特にキーの数を最低限に抑えることが必要な小型の携帯端末に利用が可能である。
【図面の簡単な説明】
【００４５】
【図１】本発明の携帯端末の一実施の形態の外観正面図である。
【図２】図１中の要部の拡大平面図である。
【図３】本発明の携帯端末の一実施の形態のブロック図である。
【図４】本発明の一実施の形態の動作説明用フローチャートである。
【図５】図１の実施の形態の携帯端末の操作キーを右方向から指で押下したときの説明図である。
【図６】本発明の携帯端末の他の実施の形態の外観正面図である。
【符号の説明】
【００４６】
１  携帯電話機
２  筐体
３  表示部
４  数字入力キー
５ａ  カーソル下移動キー
５ｂ  カーソル上移動キー
６  操作キー
７  フォトセンサ群
７−１〜７−１６  フォトセンサ
１１  指
１３  制御部
１４  無線部
１８  記憶部
２１  接触感知センサ
２２  指紋入力手段
【図１】
2006011660.tif 000003
【図２】
2006011660.tif 000004
【図３】
2006011660.tif 000005
【図４】
2006011660.tif 000006
【図５】
2006011660.tif 000007
【図６】
2006011660.tif 000008